(57)【要約】【課題】装置本体に対して開閉自在に設けられた被覆部材を装置本体に係り止めする第１の係止部及び第２の係止部との係り止めを解除する場合、第１の係止部又は第２の係止部が広がる方向に移動するものと比較して、空間を有効利用することができる開閉装置及び画像形成装置を提供する。【解決手段】開閉装置７４は、装置本体に対して開閉自在に設けられた被覆部材を装置本体に係り止めする第１の係止部及び第２の係止部と、前記第１の係止部に連結された第１の連結部と、前記第１の連結部を前記第１の係止部の係り止めを解除する方向へ移動させた場合、前記第２の係止部が前記第１の係止部に近づく方向に移動するように前記第１の連結部と前記第２の係止部とを連結する第２の連結部と、を有する。【選択図】図５
2020097169.tif 000002
【特許請求の範囲】
【請求項１】
装置本体に対して開閉自在に設けられた被覆部材を装置本体に係り止めする第１の係止部及び第２の係止部と、
前記第１の係止部に連結された第１の連結部と、
前記第１の連結部を前記第１の係止部の係り止めを解除する方向へ移動させた場合、前記第２の係止部が前記第１の係止部に近づく方向に移動するように前記第１の連結部と前記第２の係止部とを連結する第２の連結部と、
を有する開閉装置。
【請求項２】
装置本体に対して開閉自在に設けられた被覆部材を装置本体に係り止めする第１の係止部及び第２の係止部と、
前記第１の係止部に連結された第１の連結部と、
前記第１の連結部と前記第２の係止部とを連結する第２の連結部であって、回転中心を中心として互いに逆方向へ延びる第１の腕部及び第２の腕部を有し、前記第１の腕部が前記第１の連結部に連結され、前記第２の腕部が前記第２の係止部に連結されている第２の連結部と、
を有する開閉装置。
【請求項３】
前記第２の腕部の前記回転中心から前記第２の係止部に連結された部分までの長さが前記第１の腕部の前記回転中心から前記第１の連結部に連結された部分までの長さが長い請求項２記載の開閉装置。
【請求項４】
前記第１の係止部が前記装置本体に係り止めされていない状態から前記装置本体に係り止めされた状態になるまでは前記第２の係止部が前記装置本体に係る止めされないように前記第１の係止部を案内する案内部をさらに有する請求項１から３いずれか記載の開閉装置。
【請求項５】
前記第１の係止部が前記装置本体に係り止めされていない状態から前記装置本体に係り止めされた状態まで前記第１の係止部を案内する案内部をさらに有する請求項１から３いずれか記載の開閉装置。
【請求項６】
前記第２の係止部が前記装置本体に係り止めされる位置まで移動した場合は、装置への電源の供給を制御するスイッチが入る請求項１から５いずれか記載の開閉装置。
【請求項７】
前記第２の係止部が前記装置本体に係り止めされる位置まで移動していない場合は、装置への電源の供給を制御するスイッチが入らない請求項１から５いずれか記載の開閉装置。
【請求項８】
画像形成部を収納した画像形成装置本体と、
前記画像形成装置本体に対して開閉自在に設けられた被覆部材と、
前記被覆部材を開閉する開閉装置と、を有し、
前記開閉装置は、
前記被覆部材を前記画像形成装置本体に係り止めする第１の係止部及び第２の係止部と、
前記第１の係止部に連結された第１の連結部と、
前記第１の連結部を前記第１の係止部の係り止めを解除する方向へ移動させた場合、前記第２の係止部が前記第１の係止部に近づく方向に移動するように前記第１の連結部と前記第２の係止部とを連結する第２の連結部と、
を有する画像形成装置。
【請求項９】
前記第２の係止部が前記第２の係止部から遠ざかる方向には、表示装置が配置される表示装置配置部が設けられている請求項８記載の画像形成装置。
【請求項１０】
前記表示装置配置部が設けられた前記画像形成装置本体の一側面側とは反対側に前記第１の係止部を操作する操作部が設けられた請求項９の画像形成装置。
【請求項１１】
画像形成部を収納した画像形成装置本体と、
前記画像形成装置本体に対して開閉自在に設けられた被覆部材と、
前記被覆部材を開閉する開閉装置と、を有し、
前記開閉装置は、
前記被覆部材を装置本体に係り止めする第１の係止部及び第２の係止部と、
前記第１の係止部に連結された第１の連結部と、
前記第１の連結部と前記第２の係止部とを連結する第２の連結部であって、回転中心を中心として互いに逆方向へ延びる第１の腕部及び第２の腕部を有し、前記第１の腕部が前記第１の連結部に連結され、前記第２の腕部が前記第２の係止部に連結されている第２の連結部と、
を有する画像形成装置。
【請求項１２】
前記第１の腕部に設けられた第１の長穴と、前記第１の連結部に設けられ、前記第１の長穴に挿入される第１の突出部と、前記第２の腕部に設けられた第２の長穴と、前記第２の連結部に設けられ、前記第２の長穴に挿入される第２の突出部と、を有する請求項１１の画像形成装置。
【請求項１３】
前記画像形成装置本体には、電源の供給を制御するスイッチが設けられ、前記スイッチは、前記第２の係止部が前記画像形成装置本体に係り止めする位置にある場合に入る請求項８から１２いずれか記載の画像形成装置。
【請求項１４】
前記画像形成装置本体には、電源の供給を制御するスイッチが設けられ、前記スイッチは、前記第２の係止部が前記画像形成装置本体に係り止めする位置にない場合に入るのを禁止される請求項８から１２いずれか記載の画像形成装置。
【発明の詳細な説明】
【技術分野】
【０００１】
本発明は、開閉装置及び画像形成装置に関する。
【背景技術】
【０００２】
特許文献１は、基体部に対して開閉する開閉部材と、該開閉部材の自由端側における幅方向両側の一方に設けられ、前記開閉部材から前記基体部へ突出する方向へ付勢されており、前記開閉部材が閉じた状態において、前記基体部と係合して前記閉じた状態を保持する第１ロック部材と、前記開閉部材の自由端側における幅方向両側の他方に設けられ、前記開閉部材から前記基体部へ突出する方向へ付勢されており、前記開閉部材が閉じた状態において、前記基体部と係合して前記閉じた状態を保持する第２ロック部材と、該第２ロック部材と係合可能な第１係止部を有しており、前記第１ロック部材が退避する方向への該第１ロック部材の動きを前記第２ロック部材へ伝達するリンク機構と、を備え、前記第１ロック部材および前記第２ロック部材が突出して前記基体部と係合する方向がロック方向であり、前記第１ロック部材および前記第２ロック部材が退避する方向がロックを解除する方向であり、前記リンク機構は、前記第１ロック部材が退避する方向へ該第１ロック部材が移動する際、前記第１係止部が前記第２ロック部材と係合し該第２ロック部材が退避する方向へ該第２ロック部材を引き込んで移動させ、前記第１ロック部材が突出した状態において、前記第２ロック部材が退避する方向へ該第２ロック部材が移動する際、前記第１係止部において前記第２ロック部材との間に設けられた遊びによって前記第１係止部が前記第２ロック部材と係合せず、前記第２ロック部材の動きを前記第１ロック部材へ伝達させない構成である開閉部材のロック装置を開示する。
【０００３】
特許文献２は、シートに画像を形成する画像形成部と、画像形成に係る前記シートを搬送するシート搬送部と、前記画像形成部及び前記シート搬送部とが配設された画像形成装置本体と、を備えた画像形成装置において、操作部を有するとともに前記画像形成装置本体によって開閉自在に支持され、前記画像形成装置本体の前面側を覆う閉鎖位置と前記画像形成装置本体の一部を露出させる開放位置とをとる前面カバーと、前記画像形成装置本体と前記前面カバーとの間に介装されて前記前面カバーを前記閉鎖位置に保持する保持機構と、を備え、前記保持機構は、前記画像形成装置本体と前記前面カバーとのうちの一方に支持されて他方に係脱可能なロック部材と、前記ロック部材の係合を解除する解除部材と、を有し、前記解除部材は、前記前面カバーの上端側における前記操作部よりも後側に位置する面であって、かつ背面側を向いた面に配設され、前記前面カバーは、前記画像形成装置本体の前記前面側に位置する操作者がその左右の手を前記前面カバーを形作る左右のパネルの前記上端側で且つ後端に掛けると、前記操作者の指で前記解除部材を操作できるようになっており、前記操作者が前記解除部材を操作して前記ロック部材の係合を解除し、そのまま操作者が左右の手を手前側に引くことにより、前記閉鎖位置から前記開放位置まで開かれ、前記画像形成装置本体の一部を露出させることができるようになっている、ことを特徴とする画像形成装置を開示する。
【先行技術文献】
【特許文献】
【０００４】
【特許文献１】特開２０１２−１７５０５９号公報
【特許文献２】特開２０１２−１９４５９５号公報
【発明の概要】
【発明が解決しようとする課題】
【０００５】
本発明は、装置本体に対して開閉自在に設けられた被覆部材を装置本体に係り止めする第１の係止部及び第２の係止部との係り止めを解除する場合、第１の係止部又は第２の係止部が広がる方向に移動するものと比較して、空間を有効利用することができる開閉装置及び画像形成装置を提供することを目的としている。
【課題を解決するための手段】
【０００６】
請求項１に係る本発明は、装置本体に対して開閉自在に設けられた被覆部材を装置本体に係り止めする第１の係止部及び第２の係止部と、前記第１の係止部に連結された第１の連結部と、前記第１の連結部を前記第１の係止部の係り止めを解除する方向へ移動させた場合、前記第２の係止部が前記第１の係止部に近づく方向に移動するように前記第１の連結部と前記第２の係止部とを連結する第２の連結部と、を有する開閉装置である。
【０００７】
請求項２に係る本発明は、装置本体に対して開閉自在に設けられた被覆部材を装置本体に係り止めする第１の係止部及び第２の係止部と、前記第１の係止部に連結された第１の連結部と、前記第１の連結部と前記第２の係止部とを連結する第２の連結部であって、回転中心を中心として互いに逆方向へ延びる第１の腕部及び第２の腕部を有し、前記第１の腕部が前記第１の連結部に連結され、前記第２の腕部が前記第２の係止部に連結されている第２の連結部と、を有する開閉装置である。
【０００８】
請求項３に係る本発明は、前記第２の腕部の前記回転中心から前記第２の係止部に連結された部分までの長さが前記第１の腕部の前記回転中心から前記第１の連結部に連結された部分までの長さが長い請求項２記載の開閉装置である。
【０００９】
請求項４に係る本発明は、前記第１の係止部が前記装置本体に係り止めされていない状態から前記装置本体に係り止めされた状態になるまでは前記第２の係止部が前記装置本体に係る止めされないように前記第１の係止部を案内する案内部をさらに有する請求項１から３いずれか記載の開閉装置である。
【００１０】
請求項５に係る本発明は、前記第１の係止部が前記装置本体に係り止めされていない状態から前記装置本体に係り止めされた状態まで前記第１の係止部を案内する案内部をさらに有する請求項１から３いずれか記載の開閉装置である。
【００１１】
請求項６に係る本発明は、前記第２の係止部が前記装置本体に係り止めされる位置まで移動した場合は、装置への電源の供給を制御するスイッチが入る請求項１から５いずれか記載の開閉装置である。
【００１２】
請求項７に係る本発明は、前記第２の係止部が前記装置本体に係り止めされる位置まで移動していない場合は、装置への電源の供給を制御するスイッチが入らない請求項１から５いずれか記載の開閉装置である。
【００１３】
請求項８に係る本発明は、画像形成部を収納した画像形成装置本体と、前記画像形成装置本体に対して開閉自在に設けられた被覆部材と、前記被覆部材を開閉する開閉装置と、を有し、前記開閉装置は、前記被覆部材を前記画像形成装置本体に係り止めする第１の係止部及び第２の係止部と、前記第１の係止部に連結された第１の連結部と、前記第１の連結部を前記第１の係止部の係り止めを解除する方向へ移動させた場合、前記第２の係止部が前記第１の係止部に近づく方向に移動するように前記第１の連結部と前記第２の係止部とを連結する第２の連結部と、を有する画像形成装置ある。
【００１４】
請求項９に係る本発明は、前記第２の係止部が前記第２の係止部から遠ざかる方向には、表示装置が配置される表示装置配置部が設けられている請求項８記載の画像形成装置である。
【００１５】
請求項１０に係る本発明は、前記表示装置配置部が設けられた前記画像形成装置本体の一側面側とは反対側に前記第１の係止部を操作する操作部が設けられた請求項９の画像形成装置である。
【００１６】
請求項１１に係る本発明は、画像形成部を収納した画像形成装置本体と、前記画像形成装置本体に対して開閉自在に設けられた被覆部材と、前記被覆部材を開閉する開閉装置と、を有し、前記開閉装置は、前記被覆部材を装置本体に係り止めする第１の係止部及び第２の係止部と、前記第１の係止部に連結された第１の連結部と、前記第１の連結部と前記第２の係止部とを連結する第２の連結部であって、回転中心を中心として互いに逆方向へ延びる第１の腕部及び第２の腕部を有し、前記第１の腕部が前記第１の連結部に連結され、前記第２の腕部が前記第２の係止部に連結されている第２の連結部と、を有する画像形成装置である。
【００１７】
請求項１２に係る本発明は、前記第１の腕部に設けられた第１の長穴と、前記第１の連結部に設けられ、前記第１の長穴に挿入される第１の突出部と、前記第２の腕部に設けられた第２の長穴と、前記第２の連結部に設けられ、前記第２の長穴に挿入される第２の突出部と、を有する請求項１１の画像形成装置である。
【００１８】
請求項１３に係る本発明は、前記画像形成装置本体には、電源の供給を制御するスイッチが設けられ、前記スイッチは、前記第２の係止部が前記画像形成装置本体に係り止めする位置にある場合に入る請求項８から１２いずれか記載の画像形成装置である。
【００１９】
請求項１４に係る本発明は、前記画像形成装置本体には、電源の供給を制御するスイッチが設けられ、前記スイッチは、前記第２の係止部が前記画像形成装置本体に係り止めする位置にない場合に入るのを禁止される請求項８から１２いずれか記載の画像形成装置である。
【発明の効果】
【００２０】
請求項１、２、８又は１１に係る本発明によれば、装置本体に対して開閉自在に設けられた被覆部材を装置本体に係り止めする第１の係止部及び第２の係止部との係り止めを解除する場合、第１の係止部又は第２の係止部が広がる方向に移動するものと比較して、空間を有効利用することができる。
【００２１】
請求項３に係る本発明によれば、請求項２に係る本発明の効果に加えて、第１の腕の長さと第２の腕の長さが同じ場合と比較して、第２の係止部の係り止めし又は係り止めを解除するのを確実に行うことができる。
【００２２】
請求項４又は５に係る本発明によれば、請求項１から３いずれかに係る発明の効果に加えて、案内部を設けない場合と比較して、請求項１から５いずれかに係る発明の効果に加えて、第１の係止部が係り止めされない状態では第２の係止部の係り止めを阻止することができる。
【００２３】
請求項６、７、１３又は１４に係る本発明によれば、請求項１から５又は８から１２いずれかに係る発明の効果に加えて、第２の係止部が係り止めされていない状態では、装置の駆動開始を阻止することができる。
【００２４】
請求項９に係る本発明によれば、請求項７又は８に係る本発明の効果に加えて、表示装置配置部の設置領域を確保することができる。
【００２５】
請求項１０に係る本発明によれば、請求項９に係る本発明の効果に加えて、表示装置が配置される側とは反対側の空いた空間を利用して操作部を配置することができる。
【００２６】
請求項１２に係る本発明によれば、請求項１１に係る本発明の効果に加えて、第１の連結部の移動方向と第２の係止部の移動を連動させる動作を余裕を持って行うことができる。
【図面の簡単な説明】
【００２７】
【図１】本発明の実施形態に係る画像処理装置の外観を示す斜視図である。
【図２】本発明の実施形態に係る画像形成装置を示し、図１のＡ−Ａ線断面図である。
【図３】本発明の実施形態に係る画像形成装置に用いられた画像形成部及び現像剤収納容器を示す断面図である。
【図４】本発明の実施形態に係る定着装置を示し、現像剤収納容器及び画像形成ユニットを脱着する場合の断面図である。
【図５】本発明の実施形態に係る開閉装置を示す概略図である。
【図６】本発明の実施形態に係る開閉装置が被覆部材に装着された状態を示し、被覆部材の裏側から見た平面図である。
【図７】本発明の実施形態に係る開閉装置に用いられた第１の係止部及びその周辺を示す断面図である。
【図８】本発明の実施形態に係る開閉装置が装着された状態であって、第１の係止部及びその周辺を＋Ｚ方向側から見た斜視図である。
【図９】本発明の実施形態に係る開閉装置が装着された状態であって、第１の係止部及びその周辺を−Ｚ方向側から見た斜視図である。
【図１０】本発明の実施形態に係る開閉装置に用いられた第２の係止部及びその周辺を示す平面図である。
【図１１】本発明の実施形態に係る開閉装置に用いられた第２の係止部及びその周辺を示すプラスＺ方向裏側から見た斜視図である。
【図１２】本発明の実施形態に係る開閉装置が装着された状態であって、第２の係止部及びその周辺を示す＋Ｚ方向裏側から見た斜視図である。
【発明を実施するための形態】
【００２８】
次に本発明の実施形態を図面に基づいて説明する。
図１には、本発明の実施形態に係る画像形成装置１０の外観が示されている。
画像形成装置１０は、直方体状の箱体として形成された画像形成装置本体１２を有する。この画像形成装置本体１２の上面の一方側（図１では奥側）に表示装置１４が設けられている。この表示装置１４は指示装置を兼ねており、制御情報や指示情報などを表示すると共に、指示情報などのユーザによる入力を受け入れる。具体的には、画像形成する記録媒体の枚数等を表示すると共に、記録媒体の枚数を設定する設定ボタンやスタートボタン等が配置されている。
なお、この明細書においては、図１に示すように、画像形成装置１０の裏面側をＸ方向とし、画像形成装置１０の上面側をＹ方向とし、画像形成装置１０右側面側をＺ方向としている。
【００２９】
画像形成装置本体１２の上部後方には、画像形成された記録媒体が排出される排出口１６が形成されている。この排出口１６には、排出ロール１８が設けられている。また、画像形成装置１２の排出口１６の前方には、排出部２０が形成されている。この排出部２０には、画像形成された記録媒体が集積される。
【００３０】
また、画像形成装置本体１２の前方には画像形成装置本体１２に形成された開口部を被覆する被覆部材（カバー）２２が設けられている。この被覆部材２２は、表示装置１４の部分を除いた画像形成装置本体１２の上部を被覆する上部被覆部２２ａと、画像委形成装置本体１２の前部を被覆する前部被覆部２２ｂとを有し、この上部被覆部２２ａと前部被覆部２２ｂとが一体となって、Ｂ１−Ｂ２で示す回転方向で開閉自在であるように画像形成装置本体１２に支持されている。また、画像形成装置本体１２の右側側面上部には、被覆部材２２を開く場合に操作する操作部２３が設けられている。
【００３１】
図２は、図１のＡ−Ａ線断面図である。
図２において、画像形成装置本体１２内に、記録媒体にトナー像を形成する画像形成部２４と、画像形成部２４で形成されたトナー像を記録媒体に転写する転写装置２６と、転写装置２６で記録媒体に転写されたトナー像を記録媒体に定着させる定着装置２８と、画像形成部２４に記録媒体を供給する記録媒体供給装置３０とが収納している。
【００３２】
図３にも示すように、画像形成部２４は電子写真式のもので、感光体からなる像保持体３２と、この像保持体３２を一様帯電する例えば帯電ロールからなる帯電装置３４と、この帯電装置３４により帯電された像保持体３２に、静電潜像を形成するよう光を走査する露光部３６と、この露光部３６により形成された像保持体３２の潜像を可視化する現像装置３８と、像保持体３２に残った現像剤を清掃する清掃装置４０とから構成されている。
露光部３６を除いて像保持体３２、帯電装置３４、現像装置３８及び清掃装置４０は、画像形成ユニット４１としてユニット化（一体化）されている。
【００３３】
現像装置３８の上方には現像剤収納容器４２が配置されている。この現像剤収納容器４２には現像剤が収納され、この収納された現像剤が現像装置３８に供給されるようになっている。
【００３４】
定着装置２８は、内部に熱源を有する加熱ロール４６と、この加熱ロール４６に押し付けられている加圧ロール４８とを有し、記録媒体に転写されたトナー像を加熱し、加圧して、画像形成部２４で形成されたトナー像を記録媒体に定着する。
【００３５】
記録媒体供給装置３０は、画像形成装置本体１２内の下方に設けられ、画像形成部２４に記録媒体を供給する。記録媒体供給装置３０は、記録媒体収納容器５０を有する。記録媒体収納容器５０には、記録媒体が積層するように収納されていて、記録媒体収納容器５０は、記録媒体収納容器５０から記録媒体を送り出す送り出しロール５２有する。また、送り出しロール５２の記録媒体の搬送方向下流側の給紙搬送路５３に沿って、送り出しロール５２から搬送された記録媒体をレジストロール５４に向けて搬送する給紙ロール５６と、この給紙ロール５６に対向して設けられた捌きロール５８を有する。
【００３６】
前述した排出ロール１８は、回転方向を切り替えられるようになっていて、一方の方向に回転することで、定着装置２８から搬送されて来た記録媒体を排出部２０へ排出する。また、排出ロール１８は、他方の方向に回転することにより排出部２０側から画像形成装置本体１２内へと記録媒体を引込み、反転搬送路６０へ記録媒体を供給する。
【００３７】
反転搬送路６０は、定着装置２８によって一方の面に現像剤像が定着された記録媒体を反転させて、画像形成部２４に再び搬送するために用いられていて、排出ロール１８からレジストロール５４の上流側に記録媒体を搬送する。また、反転搬送路６０に沿って、回転駆動する反転搬送ロール６２が配置されている。反転搬送路６０と、反転搬送ロール６２とで再搬送装置６４が構成されている。
【００３８】
また、画像形成装置本体１２内には、図４に示すように、現像剤収納容器４２を脱着させるための第１の通路６６と、画像形成ユニット４１を脱着させるための第２の通路６８とが形成されている。第１の通路６６は、上方やや斜めに形成され、前述した被覆部材２２を開いた状態で現像剤収容容器４２を上方やや斜めに取り出すようになっている。また、第２の通路６８は、前方やや斜めに形成され、前述した被覆部材２２を開いた状態で画像形成ユニット４１を前方やや斜めに取り出すようになっている。
なお、画像形成ユニット４１を脱着させる場合は、図４において２点鎖線で示すように、露光部３６を上方へ退避させる。
【００３９】
図２及び図４に示すように、被覆部材２２は、画像形成装置本体１２の前側下部付近に設けられた支点軸４４により回転自在に支持されている。また、画像形成装置本体１２の上端付近には、電源の供給を制御するスイッチ、いわゆるインターロックスイッチ７０が設けられている。一方、被覆部材２２の内側上端付近には、画像形成装置本体１２の内側へ突出する突起部７２が設けられている。図２に示すように、被覆部材２２を閉じると、被覆部材２２の突起部７２がインターロックスイッチ７０に当たり、インターロックスイッチ７０が入り、画像形成装置１０の各部に電源が投入されるようになる。被覆部材２２が閉じられていない状態にあっては、突起部７２がインターロックスイッチ７０から離れ、インターロックスイッチ７０はオフとなり、画像形成装置１０の各部への電源の投入が禁止される。
【００４０】
上述した被覆部材２２を開閉するための開閉装置が設けられている。図５には、開閉装置７４の概略が示されている。
【００４１】
開閉装置７４は、前述した画像形成装置本体１２に係り止めする第１の係止部７６と第２の係止部７８とを有する。第１の係止部７６は、図中右側（＋Ｚ方向）に突出した第１の爪部８０が形成されている。一方、画像形成装置本体側には第１の被係止部８２が形成されている。被覆部材２２が閉じられると、第１の被係止部８２に第１の爪部８０が係り止めされる。
【００４２】
また、第２の係止部７８は、図中左側（−Ｚ方向）に突出した第２の爪部８４が形成されている。一方、画像形成装置本体側であって、前述した表示装置１４が配置される表示装置配置部８６には第２の被係止部８８が形成されている。被覆部材２２が閉じられると、第２の被係止部８８に第２の爪部８４が係り止めされる。
【００４３】
第１の係止部７６は、Ｚ方向に延びる第１の連結部９０と一体に形成されて該第１の連結部９０に連結されている。また、この第１の連結部９０のＺ方向端に前述した操作部２３が形成されている。
【００４４】
第２の連結部９２は、第２の係止部７８と第１の連結部９０とを連結している。この第２の連結部９２は、操作部２３を−Ｚ方向に押圧して第１の係止部７６の係り止めを解除するように移動させると、第２の係止部７８が第１の係止部７６へ近づく方向、即ち＋Ｚ方向に移動する。
【００４５】
また、第１の係止部７６の画像形成装置本体側には、第１の係止部７６を案内する案内部９４が設けられている。この案内部９４は、被覆部材２２が開いた状態から閉じられる状態まで第１の係止部７６がＺ方向の係止位置へ移動しないように第１の係止部７６の先端を案内する。
【００４６】
また、前述したインターロックスイッチ７０は、第２の係止部７８が第２の被係止部８８に係り止めする位置まで移動した場合にオンとなる位置に配置され、第２の係止部７８が第２の被係止部８８まで移動していない状態にあっては、インターロックスイッチ７０はオフとされる。
【００４７】
今、被覆部材２２が閉じられている状態にあって、使用者が操作部２３を−Ｚ方向に押圧した場合は、第１の連結部９０が−Ｚ方向に移動し、第１の係止部７６の第１の被係止部８２との係り止めが解除される。一方、第１の連結部９０が−Ｚ方向に移動すると、第２の係止部７８が時計方向に回転し、第２の係止部７８の第２の被係止部８８との係り止めが解除される。
【００４８】
次に被覆部材２２を閉じる場合は、第１の係止部７６は、図５において２点鎖線で示すように、案内部９４に案内され、Ｚ方向の位置を保ちながら閉じる方向へ移動する。第１の係止部７６が係り止めする位置まで移動すると、図示しない弾性体により第１の連結部９０がＺ方向へ移動し、第１の係止部７６の第１の爪部８０が第１の被係止部８２に入り込み、第１の係止部７６が第１の被係止部８２に係り止めされる。
【００４９】
第１の係止部７６が第１の被係止部８２に係り止めされていない状態にあっては、第１の係止部７６が案内部９４に案内されて第１の連結部９０が−Ｚ方向にずれた位置にあるので、第２の係止部７８は、図５において２点鎖線で示すように、＋Ｚ方向にずれた位置を保つ。このため、例えば被覆部材２２がゆがんでいたとしても、第１の係止部７６が第１の被係止部８２に係り止めされない限り、第２の係止部７８が第２の被係止部８８に係り止めされることはない。
【００５０】
また、第１の係止部７６が第１の被係止部８２に係り止めされているが、第２の係止部７８が第２の被係止部８８の位置まで移動していない状態（半ラッチ状態）においては、インターロックスイッチ７０が入るおそれがない。
【００５１】
さらに開閉装置７４を図６から図１２を用いて詳細に説明する。
図６は、被覆部材２２の上部被覆部２２ａを裏側から見た平面図である。裏側から見ているので、Ｚ方向が逆になっている。
【００５２】
図８にも示すように、第１の連結部９０の中央付近には、付勢部材９６が設けられている。この付勢部材９６は例えば圧縮コイルばねで、この付勢部材９６の一端が第１の連結部９０に係合し、他端が被覆部材２２に係合し、被覆部材２２に対して第１の連結部９０を＋Ｚ方向に付勢している。したがって、前述した操作部２３を−Ｚ方向へ押圧すると、この付勢部材９６の付勢力により第１の連結部９０には元に位置にもどろうとする力が作用する。
【００５３】
また、第１の連結部９０の両端付近には、Ｚ方向を長手方向とする第１の長穴９８及び第２の長穴１００が形成されている。この第１の長穴９８と第２の長穴１００には、被覆部材２２から突出した第１の突出部１０２及び第２の突出部１０４が挿入されており、被覆部材２２に対して第１の連結部９０がＺ方向へ移動自在であるように支持している。
【００５４】
また、図７及び図９に示すように、前述した操作部２３は、Ｚ方向に摺動自在であるように、被覆部材２２に形成された操作部用摺動部１０６に挿入されている。したがって、第１の係止部７６は、第１の係止部７６を挟んだＺ方向の両側で、第１の突出部１０２と操作部用摺動部１０６によりＸ方向の移動ができないように支持されているので、第１の係止部７６がＸ方向の荷重を受けても第１の係止部７６が倒れるのを防止する。
【００５５】
また、図９に示しように、第１の係止部７６の第１の爪部８０は、画像形成装置本体１２側に設けられた孔としての被係止部８２に係る止めされている。案内部９４は、被係止部８２から−Ｘ方向へ延びる壁として形成されている。被覆部材２２は、支点軸４４を中心として回転するが、案内部９４は、被覆部材２２の回転中は、第２の係止部７８を案内するだけのＹ方向の幅をもっている。ただし、被覆部材２２の回転軌跡に合わせて円弧状に形成してもよい。
【００５６】
図１２に示すように、第２の係止部７８の第２の爪部８４は、画像形成装置本体１２側に設けられた表示装置配置部８６に孔として形成された第２の被係止部８８に係り止めされている。また、図６、図１１及び図１２に示すように、第２の連結部９２は、被覆部材２２から突出した支持軸１０８に嵌められた挿入孔１１０を有し、支持軸１０８を中心として回転自在であるように被覆部材２２に支持されている。第２の連結部９２は、挿入孔１１０のＸ方向両側に第１の腕部１１２と第２の腕部１１４が延びている。第１の腕部１１２には、第３の長穴１１６が形成されていると共に、第１の連結部９０には第３の突出部１２０が形成され、この第３の突出部１２０が第３の長穴１１６に挿入されて、第１の連結部９０と第２の連結部９２とが連結されている。また、第２の腕部１１４には第４の長穴１１８が形成されていると共に、第２の係止部７８には第４の突出部１２２が形成され、この第４の突出部１２２が第４の長穴１１８に挿入されている。第１の連結部９０がＺ方向に移動すると、第３の長穴１１６及び第３の突出部１２０を介して第２の連結部９２が支持軸１０８を中心として回転し、第４の長穴１１８及び第４の突出部１２２を介して、第２の係止部７８を第１の連結部９０の移動方向とは逆方向に移動させる。
【００５７】
ここで、図６に示すように、挿入孔１１０の中心から第４の突出部１２２までの第２の腕部１１４の長さｄ１は、挿入孔１１０の中心から第３の突出部１２０の中心までの長さｄ２よりも常に長いようになっている。したがって、第１の連結部９０の移動距離よりも第２の係止部７８の移動距離が大きく、第２の係止部７８の係り止め及び係り止めの解除を確実に実行する。
【００５８】
また、図１０及び図１１に示すように、Ｘ方向の両側で第２の係止部７８を挟み、Ｚ方向へ摺動自在に支持する第２の係止部用摺動部１２４，１２４が形成されている。図１０に示すように、第２の係止部７８は、この第２の係止部用摺動部１２４，１２４により摺動自在に支持され、倒れるのが防止されるようになっている。また、第２の係止部７８の移動方向とは直交する方向で第２の係止部７８が支持されているので、第２の係止部７８の移動を容易に許容する。
【００５９】
なお、上記実施形態においては、開閉装置７４は、画像形成装置１０の被覆部材２２を開閉するために用いられているが、本発明はこれに限定されず、一般的な装置に用いることができる。
【符号の説明】
【００６０】
１０    画像形成装置
１２    画像形成装置本体
１４    表示装置
２２    被覆部材
２２ａ  上部被覆部
２２ｂ  前部被覆部
２３    操作部
２４    画像形成部
４４    支点軸
７０    インターロックスイッチ
７２    突起部
７４    開閉装置
７６    第１の係止部
７８    第２の係止部
８０    第１の爪部
８２    第１の被係止部
８４    第２の爪部
８６    表示装置配置部
８８    第２の被係止部
９０    第１の連結部
９２    第２の連結部
９４    案内部
９６    付勢部材
９８    第１の長穴
１００  第２の長穴
１０２  第１の突出部
１０４  第２の突出部
１０６  操作部用摺動部
１０８  支持軸
１１０  挿入孔
１１２  第１の腕部
１１４  第２の腕部
１１６  第３の長穴
１１８  第３の突出部
１２０  第４の長穴
１２２  第４の突出部
１２４  第２の係止部用摺動部
【図１】
2020097169.tif 000003
【図２】
2020097169.tif 000004
【図３】
2020097169.tif 000005
【図４】
2020097169.tif 000006
【図５】
2020097169.tif 000007
【図６】
2020097169.tif 000008
【図７】
2020097169.tif 000009
【図８】
2020097169.tif 000010
【図９】
2020097169.tif 000011
【図１０】
2020097169.tif 000012
【図１１】
2020097169.tif 000013
【図１２】
2020097169.tif 000014